(57)【特許請求の範囲】
【請求項１】
パワーエレクトロニクス回路用の高電圧回路のスイッチング素子を開閉させるための複数種類のパルスのパルス幅と設定された前記パルスの繰返し回数とを設定するパルス設定制御装置と、前記スイッチング素子のゲートを開閉制御するゲート駆動回路とを備えたパワーエレクトロニクス回路用の高電圧回路のスイッチング素子の開閉制御装置において、指接触、キーボード又はマウスにより表示内容が変更できる形式の表示板であって、メッセージ欄と諸機能の設定指示欄と複数のパルス幅設定表示欄と前記パルスの繰返し回数表示欄とデータ設定及び指示待ち又は実行結果表示欄とが設けられた表示板を有し、該表示板に表示される前記パルス幅とパルスの繰返し回数を指接触と指の接触状態での移動により、又は前記キーボード、マウスの操作により変化させて、前記パルス幅とパルスの繰返し回数を設定するように構成され設定された所定のパルス設定情報を無線で送信するようにした制御プログラムを組み込んでなる無線携帯端末のパルス設定制御置（親機）を備えたことを特徴とするパワーエレクトロニクス回路用の高電圧回路のスイッチング素子開閉制御装置。
【請求項２】
パワーエレクトロニクス回路用の高電圧回路のスイッチング素子を開閉させるための複数種類のパルスのパルス幅と設定された前記パルスの繰返し回数とを設定するパルス設定制御装置と、前記スイッチング素子のゲートを開閉制御するゲート駆動回路とを備えたパワーエレクトロニクス回路用の高電圧回路のスイッチング素子の開閉制御装置において、指接触により表示内容が変更できる形式の表示板であって、メッセージ欄と諸機能の設定指示欄と複数のパルス幅設定表示欄と前記パルスの繰返し回数表示欄とデータ設定及び指示待ち又は実行結果表示欄とが設けられた表示板と、パルス設定情報やその他の情報を送信する無線送信部と、スイッチング内容を表示しながら設定するスイッチング内容表示設定部と、該スイッチング内容表示設定部で設定した設定内容をパルス設定情報に変換する設定内容−コマンド変換部と、設定されたパルスの送信の司令を出すパルス設定情報の送信開始司令部と、装置全体の制御を司るＣＰＵ制御部とを備え、前記表示板に表示される前記パルス幅とパルスの繰返し回数を指接触と指の接触状態での移動により変化させて、前記パルス幅とパルスの繰返し回数を設定するように構成され設定された所定のパルス設定情報を無線で送信するようにした制御プログラムを組み込んでなる無線携帯端末のパルス設定制御装置（親機）を備えたことを特徴とするパワーエレクトロニクス回路用の高電圧回路のスイッチング素子開閉制御装置。
【請求項３】
パワーエレクトロニクス回路用の高電圧回路のスイッチング素子を開閉させるための複数種類のパルスのパルス幅と設定された前記パルスの繰返し回数とを設定するパルス設定制御装置と、前記スイッチング素子のゲートを開閉制御するゲート駆動回路とを備えたパワーエレクトロニクス回路用の高電圧回路のスイッチング素子の開閉制御装置において、指接触により表示内容が変更できる形式の表示板であって、メッセージ欄と諸機能の設定指示欄と複数のパルス幅設定表示欄と前記パルスの繰返し回数表示欄とパルス設定情報を無線で受信して前記ゲート駆動回路にスイッチング波形を出力するスイッチング波形出力部を備えた無線携帯端末のパルス設定制御装置の子機の情報を表示する子機の情報欄とデータ設定及び指示待ち又は実行結果表示欄とが設けられた表示板を有し、該表示板に表示される前記パルス幅とパルスの繰返し回数を指接触と指の接触状態での移動により変化させて、前記パルス幅とパルスの繰返し回数を設定するように構成され設定された所定のパルス設定情報を無線で送信すると共に前記パルス設定制御装置の子機の情報を無線で受信して前記子機の情報欄に表示するようにした制御プログラムを組み込んでなる無線携帯端末のパルス設定制御装置（親機）を備えたことを特徴とするパワーエレクトロニクス回路用の高電圧回路のスイッチング素子開閉制御装置。
【請求項４】
パワーエレクトロニクス回路用の高電圧回路のスイッチング素子を開閉させるための複数種類のパルスのパルス幅と設定された前記パルスの繰返し回数とを設定するパルス設定制御装置と、前記スイッチング素子のゲートを開閉制御するゲート駆動回路とを備えたパワーエレクトロニクス回路用の高電圧回路のスイッチング素子の開閉制御装置において、指接触により表示内容が変更できる形式の表示板であって、メッセージ欄とパルス設定情報を無線で受信して前記ゲート駆動回路にスイッチング波形を出力するスイッチング波形出力部を備えた無線携帯端末のパルス設定制御装置の子機の情報を表示する子機の情報欄と諸機能の設定指示欄と複数のパルス幅設定表示欄と前記パルスの繰返し回数表示欄とデータ設定及び指示待ち又は実行結果表示欄とが設けられた表示板と、パルス設定情報やその他の情報を送信する無線送受信部と、スイッチング内容を表示しながら設定するスイッチング内容表示設定部と、該スイッチング内容表示設定部で設定した設定内容をパルス設定情報に変換する設定内容−コマンド変換部と、設定されたパルスの送信の司令を出すパルス設定情報の送信開始司令部と、前記無線携帯端末のパルス設定制御装置の子機から無線で受信した子機の状態を表示する子機の状態表示部と、装置全体の制御を司るＣＰＵ制御部とを備え、前記表示板に表示される前記パルス幅とパルスの繰返し回数を指接触と指の接触状態での移動により変化させて、前記パルス幅とパルスの繰返し回数を設定するように構成され設定された所定のパルス設定情報を無線で送信すると共に前記無線携帯端末のパルス設定制御装置の子機の情報を無線で受信して前記子機の情報欄に表示するようにした制御プログラムを組み込んでなる無線携帯端末のパルス設定制御装置（親機）を備えたことを特徴とするパワーエレクトロニクス回路用の高電圧回路のスイッチング素子開閉制御装置。
【請求項５】
パワーエレクトロニクス回路用の高電圧回路のスイッチング素子を開閉させるための複数種類のパルスのパルス幅と設定された前記パルスの繰返し回数とを設定するパルス設定制御装置と、前記スイッチング素子のゲートを開閉制御するゲート駆動回路とを備えたパワーエレクトロニクス回路用の高電圧回路のスイッチング素子の開閉制御装置において、指接触により表示内容が変更できる形式の表示板であって、メッセージ欄と諸機能の設定指示欄と複数のパルス幅設定表示欄と前記パルスの繰返し回数表示欄とデータ設定及び指示待ち又は実行結果表示欄とが設けられた表示板を有し、該表示板に表示される前記パルス幅とパルスの繰返し回数を指接触と指の接触状態での移動により変化させて、前記パルス幅とパルスの繰返し回数を設定するように構成され設定された所定のパルス設定情報を無線で送信するようにした制御プログラムを組み込んでなる無線携帯端末のパルス設定制御装置（親機）の子機であって、前記無線携帯端末のパルス設定制御装置（親機）からの情報を無線で受信する無線受信部と、装置全体の制御を司るＣＰＵ制御部と、前記無線携帯端末のパルス設定制御装置（親機）から受信した情報をコマンド解析するコマンド解析部と、前記ゲート駆動回路にスイッチング波形を出力するスイッチング波形出力部と、回路駆動用の電源として用いる蓄電池とを備え、前記無線携帯端末のパルス設定制御装置から送信されるパルス設定情報を無線で受信して前記ゲート駆動回路にスイッチング波形を出力するようにしたパルス設定制御装置の子機を備えたことを特徴とするパワーエレクトロニクス回路用の高電圧回路のスイッチング素子開閉制御装置。
【請求項６】
パワーエレクトロニクス回路用の高電圧回路のスイッチング素子を開閉させるための複数種類のパルスのパルス幅と設定された前記パルスの繰返し回数とを設定するパルス設定制御装置と、前記スイッチング素子のゲートを開閉制御するゲート駆動回路とを備えたパワーエレクトロニクス回路用の高電圧回路のスイッチング素子の開閉制御装置において、指接触により表示内容が変更できる形式の表示板であって、メッセージ欄とパルス設定制御装置の子機の情報を表示する子機の情報欄と諸機能の設定指示欄と複数のパルス幅設定表示欄と前記パルスの繰返し回数表示欄とデータ設定及び指示待ち又は実行結果表示欄とが設けられた表示板を有し、該表示板に表示される前記パルス幅とパルスの繰返し回数を指接触と指の接触状態での移動により変化させて、前記パルス幅とパルスの繰返し回数を設定するように構成され設定された所定のパルス設定情報を無線で送信すると共に前記パルス幅とパルスの繰返し回数を設定するように構成され設定された所定のパルス設定情報を無線で送信するようにした制御プログラムを組み込んでなる無線携帯端末のパルス設定制御装置の子機の情報を無線で受信して前記子機の情報欄に表示するようにした制御プログラムを組み込んでなる無線携帯端末のパルス設定制御装置（親機）の子機であって、前記無線携帯端末のパルス設定制御装置（親機）からの情報を無線で受信すると共に自身の情報を無線で前記無線携帯端末のパルス設定制御装置（親機）に送信する無線送受信部と、装置全体の制御を司るＣＰＵ制御部と、前記無線携帯端末のパルス設定制御装置（親機）から受信した情報をコマンド解析するコマンド解析部と、前記ゲート駆動回路にスイッチング波形を出力するスイッチング波形出力部と、自身の各部位の情報を取得するセンサ部と、自身の識別ＩＤと、回路駆動用の電源として用いる蓄電池とを備え、前記無線携帯端末のパルス設定制御装置（親機）から送信されるパルス設定情報を無線で受信して前記ゲート駆動回路にスイッチング波形を出力すると共に自身の回路の状態を前記無線携帯端末のパルス設定制御装置（親機）に無線で送信するようにした無線携帯端末のパルス設定制御装置の子機を備えたことを特徴とするパワーエレクトロニクス回路用の高電圧回路のスイッチング素子開閉制御装置。
【請求項７】
パワーエレクトロニクス回路用の高電圧回路のスイッチング素子を開閉させるための複数種類のパルスのパルス幅と設定された前記パルスの繰返し回数とを設定するパルス設定制御装置と、前記スイッチング素子のゲートを開閉制御するゲート駆動回路とを備えたパワーエレクトロニクス回路用の高電圧回路のスイッチング素子の開閉制御装置において、指接触により表示内容が変更できる形式の表示板であって、メッセージ欄と諸機能の設定指示欄と複数のパルス幅設定表示欄と前記パルスの繰返し回数表示欄とデータ設定及び指示待ち又は実行結果表示欄とが設けられた表示板と、パルス設定情報やその他の情報を送信する無線送信部と、スイッチング内容を表示しながら設定するスイッチング内容表示設定部と、該スイッチング内容表示設定部で設定した設定内容をパルス設定情報に変換する設定内容−コマンド変換部と、設定されたパルスの送信の司令を出すパルス設定情報の送信開始司令部と、装置全体の制御を司るＣＰＵ制御部とを備え、前記表示板に表示される前記パルス幅とパルスの繰返し回数を指接触と指の接触状態での移動により変化させて、前記パルス幅とパルスの繰返し回数を設定するように構成され設定された所定のパルス設定情報を無線で送信するようにした制御プログラムを組み込んでなる無線携帯端末のパルス設定制御装置（親機）と、前記無線携帯端末のパルス設定制御装置（親機）からの情報を無線で受信する無線受信部と、装置全体の制御を司るＣＰＵ制御部と、前記無線携帯端末のパルス設定制御装置（親機）から受信した情報をコマンド解析するコマンド解析部と、前記ゲート駆動回路にスイッチング波形を出力するスイッチング波形出力部と、回路駆動用の電源として用いる蓄電池とを備え、前記無線携帯端末のパルス設定制御装置（親機）から送信されるパルス設定情報を無線で受信して前記ゲート駆動回路にスイッチング波形を出力するようにした無線携帯端末のパルス設定制御装置の子機とを備えたことを特徴とするパワーエレクトロニクス回路用の高電圧回路のスイッチング素子開閉制御装置。
【請求項８】
パワーエレクトロニクス回路用の高電圧回路のスイッチング素子を開閉させるための複数種類のパルスのパルス幅と設定された前記パルスの繰返し回数とを設定するパルス設定制御装置と、前記スイッチング素子のゲートを開閉制御するゲート駆動回路とを備えたパワーエレクトロニクス回路用の高電圧回路のスイッチング素子の開閉制御装置において、指接触により表示内容が変更できる形式の表示板であって、メッセージ欄とパルス設定情報を無線で受信して前記ゲート駆動回路にスイッチング波形を出力するスイッチング波形出力部を備えた無線携帯端末のパルス設定制御装置の子機の情報を表示する子機の情報欄と諸機能の設定指示欄と複数のパルス幅設定表示欄と前記パルスの繰返し回数表示欄とデータ設定及び指示待ち又は実行結果表示欄とが設けられた表示板と、パルス設定情報やその他の情報を送受信する無線送受信部と、スイッチング内容を表示しながら設定するスイッチング内容表示設定部と、該スイッチング内容表示設定部で設定した設定内容をパルス設定情報に変換する設定内容−コマンド変換部と、設定されたパルスの送信の司令を出すパルス設定情報の送信開始司令部と、前記無線携帯端末のパルス設定制御装置の子機から無線で受信した子機の状態を表示する子機の状態表示部と、装置全体の制御を司るＣＰＵ制御部とを備え、前記表示板に表示される前記パルス幅とパルスの繰返し回数を指接触と指の接触状態での移動により変化させて、前記パルス幅とパルスの繰返し回数を設定するように構成され設定された所定のパルス設定情報を無線で送信すると共に前記無線携帯端末のパルス設定制御装置の子機の情報を無線で受信して前記子機の情報欄に表示するようにした制御プログラムを組み込んでなる無線携帯端末のパルス設定制御装置（親機）と、該無線携帯端末のパルス設定制御装置の子機であって、前記無線携帯端末のパルス設定制御装置（親機）からの情報を無線で受信すると共に自身の情報を前記無線携帯端末のパルス設定制御装置（親機）に送信する無線送受信部と、装置全体の制御を司るＣＰＵ制御部と、前記無線携帯端末のパルス設定制御装置（親機）から受信した情報をコマンド解析するコマンド解析部と、前記ゲート駆動回路にスイッチング波形を出力するスイッチング波形出力部と、自身の各部位の情報を取得するセンサ部と、自身の識別ＩＤと、回路駆動用の電源として用いる蓄電池とを備え、前記無線携帯端末のパルス設定制御装置から送信されるパルス設定情報を無線で受信して前記ゲート駆動回路にスイッチング波形を出力すると共に自身の回路の状態を前記無線携帯端末のパルス設定制御装置（親機）に無線で送信するようにした前記無線携帯端末のパルス設定制御装置の子機とを備えたことを特徴とするパワーエレクトロニクス回路用の高電圧回路のスイッチング素子開閉制御装置。
【請求項９】
無線携帯端末のパルス設定制御装置の子機は、夫々異なる自身の識別ＩＤ番号を持つ複数のもので構成され、前記無線携帯端末のパルス設定制御装置による前記子機の識別ＩＤ番号の選択操作によりその作動をＯＮ・ＯＦＦさせてＯＮ状態の子機のみを作動させるように構成したことを特徴とする請求項８に記載のパワーエレクトロニクス回路用の高電圧回路のスイッチング素子開閉制御装置。
【発明の詳細な説明】
【発明の詳細な説明】
【技術分野】
【０００１】本発明は、パワーエレクトロニクス回路用の高電圧回路のスイッチング素子開閉制御装置に係り、特に金属酸化物半導体電界効果トランジスタ（Ｍｅｔａｌ  Ｏｘｉｄｅ  Ｓｉｍｉ−ｃｏｎｄｕｔｏｒ  Ｆｉｅｌｄ  Ｅｆｆｅｃｔ  Ｔｒａｎｓｉｓｔｏｒ）（以下「ＭＯＳＦＥＴ」という。）をバイポーラトランジスタのゲートに組み込んでなる絶縁ゲートバイポーラトランジスタ（Ｉｎｓｕｌａｔｅｄ  Ｇａｔｅ  Ｂｉｐｏｌａｒ  Ｔｒａｎｓｉｓｔｏｒ）（以下「ＩＧＢＴ」という。）等の高電圧、大電流下で使用されるスイッチング素子の開閉制御を従来の機械式スイッチング制御装置に代えて無線携帯端末の表示板上でパルス幅やパルスの繰返し回数等の数値を簡単、手軽に設定できるようにすると共に、設定されたパルスに関する数値をパルス設定情報として無線で送信できるようにし、またこの無線携帯端末のパルス設定制御装置（親機）の子機に親機からのパルス設定情報を無線で受信できる機能を持たせ、この子機を親機と分離させて配置できるようにし、しかもこの子機は蓄電池駆動として従来の絶縁トランスを介しての商用電源を用ないで済むようにして、パルス幅等の数値の設定作業を著しく容易化し、パルス設定制御装置（親機）と子機との間で無線による送受信を可能とすることで太くて重くかつ長い配線ケーブルや細くて長い配線ケーブルの設置を不要とし、パルス設定制御装置（親機）と子機との完全な電気的絶縁を図ることで、高電圧、大電流（例えば３，０００Ｖ、１，０００Ａ、出力３，０００ｋｗ）の環境でも作業者の人体に対する感電を完全に防止し、しかもパルス設定制御装置（親機）と複数の子機との間で情報の無線での送受信ができるようにすることで、遠く離れた場所で身の安全を確保したながら子機の電池電圧や温度等の情報を手元のパルス設定制御装置（親機）で読み取ることができるようにした、画期的なパワーエレクトロニクス回路用の高電圧回路のスイッチング素子開閉制御装置に関する。
【背景技術】
【０００２】パワーエレクトロニクスとは、「パワーとエレクトロニクスとの合成語であり、その分野は、電力のスイッチングや変換などを行う電力工学（パワー）の分野、電子や半導体などの電子工学（エレクトロニクス）の分野、更にこれらを結びつける制御の分野とが重なりあった総合的な技術分野である。」と定義される（高橋寛監修・粉川昌巳著「絵ときでわかるパワーエレクトロニクス」より）。
またパワーエレクトロニクスとは、「パワー半導体デバイスを用いた電力の変換と制御に関する技術である。」と定義される（大野榮一・小山正人共編著「パワーエレクトロニクス入門」改訂５版より）。
このようなパワーエレクトロニクスの技術分野において、従来のパワーエレクトロニクス回路用の高電圧回路のスイッチング素子開閉制御装置１は、図１３から図１５において、図１４及び図１５に示すような機械式のスイッチング素子制御装置２に矩形波信号ケーブル３（第１の矩形波信号ケーブル３Ａ，第２の矩形波信号ケーブル３Ｂ）を介して必要な場合には、複数のゲート駆動回路４（第１のゲート駆動回路４Ａ，第２のゲート駆動回路４Ｂ）を接続し、ケーブル５（第１のケーブル５Ａ，第２のケーブル５Ｂ）を介してＩＧＢＴ等のスイッチング素子６（第１のスイッチング素子６Ａ，第２のスイッチング素子６Ｂ）のＭＯＳＦＥＴで形成されるゲート８を接続するように構成されており、ゲート駆動回路４は商用電源に対しては、感電を防止するため、図１３及び図１５に示すように、絶縁トランス９の二次側を電源ケーブル１０を介してゲート駆動回路４に接続し、一次側を商用電源ケーブル１１を介してプラグ１２により商用電源（図示せず）に接続していた。
また図１３及び図１５における第１のゲート駆動回路４Ａの電源と第２のゲート駆動回路４Ｂの電源とは第１のゲート駆動回路４Ａのグランド電位が変動するために互いに絶縁する必要があった。【０００３】スイッチング制御装置２は、装置全体の制御を司るＣＰＵ制御部１３と、パルス幅や設定された所定のパルス幅の繰返し回数等を設定するための機械式のスイッチング内容設定部１４（パルス幅を設定するためのスイッチング内容設定部１４Ａ，１４Ｂ，１４Ｃ，繰返し数を設定するためのスイッチング内容設定部１４Ｄ）と、スイッチングの指令信号を発するスイッチング開始司令部１５と、該スイッチング開始司令部１５からの指令を受けて矩形波を出力するスイッチング波形出力部１６とで構成され、図１４に示すような箱状のケース１８に収容されており、商用電源ケーブル１９によりプラグ２０を介して商用電源（図示せず）に接続されるように構成されている。
またケース１８には、電源スイッチ２１、パルス波形図示部２２、パルス発射スイッチ２３、パルス発射ランプ２４、無限連続パルス発射スイッチ２５、リセットスイッチ２６、エラー表示ランプ２８、エラー解消表示ランプ２９及びコネクタ３０が夫々設けられている。【０００４】ゲート駆動回路４は、図１３において、光絶縁部３１、制御回路３２、ＩＣバッファ回路３３及び抵抗３４が直列に接続されて構成されており、抵抗３４はケーブル５によりスイッチング素子６のＭＯＳＦＥＴで構成されるゲート８に接続されている。【０００５】図１３において、パワーエレクトロニクス主回路３５のＩＧＢＴ等のスイッチング素子６は、ＭＯＳＦＥＴで構成されたゲート８とバイポーラトランジスタ３６とで構成され、バイポーラトランジスタ３６のコレクタＣとエミッタＥ間にはダイオード３８が接続されている。【０００６】パワーエレクトロニクス主回路３５は、図１５において、電源の一例たる複数のコンデンサ３９その他で構成され、大規模で頑丈な作りの筐体４０内の仕切り棚４０ｂの上に収納されており、筐体４０の前面の観音開きの扉４０ａは、内部の視認性確保のため、透明樹脂を使う一方、扉の４０ａの強度を上げるため、該扉の内側に穴あき鉄板を配置しており、筐体４０の内部には試験又は実用運転対象のゲート駆動回路４、スイッチング素子６、パワーエレクトロニクス主回路３５が接続されて収納され、仕切り棚４０ｂの下側には、主回路電源４１、他の負荷４２等が夫々収納されている。【０００７】このような従来のパワーエレクトロニクス回路用の高電圧回路のスイッチング素子開閉制御装置１においては、試験又は実用運転開始に先立ってスイッチング制御装置２を矩形波信号ケーブル３（３Ａ，３Ｂ）によりゲート駆動回路４（４Ａ，４Ｂ）に夫々接続し、商用電源ケーブル１９によりプラグ２０を介して商用電源に接続する作業が必要である。
また絶縁トランス９は、その二次側を電源ケーブル１０によりゲート駆動回路４に接続し、その一次側をプラグ１２を介して商用電源（図示せず）に接続する作業が必要である。【０００８】この際、図１３及び図１５に示すように、スイッチング素子６には、例えば３，０００Ｖという高電圧、１，０００Ａという大電流で使用されるＩＧＢＴ等が用いられるため、光絶縁部３１が設けられていても、感電による事故を防止するため、筐体４０とスイッチング制御装置２と絶縁トランス９はなるべく遠く、例えば３ｍから５ｍ以上遠くに配置されることもあり、またスイッチング制御装置２及び絶縁トランス９と筐体４０とは、相当の高低差があることもあり、電源ケーブル１０及び矩形波信号ケーブル３もかなり太くて重いもの又は細くて長いものが用いられるため、その配線や取り回しに要する労力は非常に大変なものであった。【０００９】また図１３に示すように、ゲート駆動回路４が複数の場合は、矩形波信号ケーブル３及び絶縁トランス９とそのための電源ケーブル１０と商用電源ケーブル１１をゲート駆動回路４の数だけ配置、接続しなければならず、その作業は非常に大変であった。【００１０】更に、このように筐体４０とスイッチング制御装置２及び絶縁トランス９を離して配置したとしても、感電や筐体４０の爆発の可能性を考慮すれば、安全対策は万全とは言い難く、作業者は身の危険を感じながらの作業を強いられる結果となっていた。【００１１】次に、試験や実用運転に当たっては、図１３及び図１４において、まずスイッチング制御装置２のスイッチング内容設定部１４（１４Ａ，１４Ｂ，１４Ｃ）を操作して、スイッチング内容のうちのパルス幅を３種類設定し、スイッチング内容設定部１４Ｄを操作してパルスの繰返し回数を設定する作業が必要となる。
図１４において、図示のスイッチング制御装置２のスイッチング内容設定部１４においては、パルス幅の種類は３種類とされ、パルス幅の単位はμｓ（マイクロセコンド＝１００万分の１秒）で、夫々９９９．９μｓまで設定できるようになっており、繰返し数は９９回まで設定できるようになっている。
パルス幅の設定は、押しボタンスイッチ１４ａを押すことで数値が加算され、押しボタンスイッチ１４ｂを押すことで数値が減算されることで機械的にパルス幅の数値を設定できるようになっているが、３種類のパルス幅を小数点を含む４桁の数字として設定し、繰返し回数を９９までの数字として設定する作業は相当大変な作業であった。【００１２】更に、スイッチング制御装置２からゲート駆動回路４への信号は、前者から後者への一方通行であり、ゲート駆動回路４の状態、例えばゲート駆動回路４の特定部位の温度等を作業者の手元で監視することは不可能であるという欠点があった。【００１３】またスイッチング制御装置２からゲート駆動回路４への信号はスイッチングの周期に一致した矩形波信号のみであるため、それ以外の情報をゲート駆動回路４に伝送することは不可能であるという欠点があった。
【先行技術文献】
【特許文献】
【００１４】本願出願人及び発明者は、特許文献を知らないので、その記載を省略する。
【非特許文献】
【００１５】本願出願人及び発明者は、非特許文献を知らないので、その記載を省略する。
【発明の概要】
【００１６】
【発明が解決しようとする課題】
【００１７】本発明は、上記した従来技術の欠点を除くためになされたものであって、その目的とするところは、パワーエレクトロニクス回路用の高電圧回路のスイッチング素子を開閉させるための複数種類のパルスのパルス幅と設定されたパルスの繰返し回数とを設定するパルス設定制御装置と、スイッチング素子のゲートを開閉制御するゲート駆動回路とを備えたパワーエレクトロニクス回路用の高電圧回路のスイッチング素子の開閉制御装置において、指接触、キーボード又はマウスにより表示内容が変更できる形式の表示板であって、メッセージ欄と諸機能の設定指示欄と複数のパルス幅設定表示欄とパルスの繰返し回数表示欄とデータ設定及び指示待ち又は実行結果表示欄とが設けられた表示板を有し、該表示板に表示されるパルス幅とパルスの繰返し回数を指接触と指の接触状態での移動により、又はキーボード、マウスの操作により変化させて、パルス幅とパルスの繰返し回数を設定するように構成され設定された所定のパルス設定情報を無線で送信するようにした制御プログラムを組み込んでなる無線携帯端末のパルス設定制御装置（親機）を備えることにより、高電圧、大電流で使用されるＩＧＢＴ等のスイッチング素子の試験や実用運転に際して、そのスイッチング内容の設定、即ちパルス幅やパルス数の設定作業を著しく容易化することであり、また無線携帯端末のパルス設定制御装置（親機）からゲート駆動回路への信号伝達を無線化することで、高電圧、大電流下での作業者への感電事故のおそれをなくし、作業者の身の安全を図ることであり、また電源ケーブルや矩形波信号ケーブル等の配線の接続や取回しを不要とすることで作業の著しい効率化を図ることである。
また他の目的は、無線携帯端末のパルス設定制御装置（親機）によりゲート駆動回路に無線でパルス設定情報を送信できるようにすることで、従来不可能であった、複数種類の情報をゲート駆動回路に伝送することを可能とすることである。【００１８】また他の目的は、上記構成に加えて、パルス設定情報やその他の情報を送信する無線送信部と、スイッチング内容を表示しながら設定するスイッチング内容表示設定部と、該スイッチング内容表示設定部で設定した設定内容をパルス設定情報に変換する設定内容コマンド変換部と、設定されたパルスの送信の司令を出すパルス設定情報の送信開始司令部と、装置全体の制御を司るＣＰＵ制御部とを備えることによって、上記と同様、高電圧、大電流で使用されるＩＧＢＴ等のスイッチング素子の試験や実用運転に際して、そのスイッチング内容の設定、即ちパルス幅やパルス数の設定作業を著しく容易化することであり、また無線携帯端末のパルス設定制御装置（親機）からゲート駆動回路への信号伝達を無線化することで、電源ケーブルや矩形波信号ケーブル等の配線の接続や取回しを不要とすることで作業の著しい効率化を図ることである。
また他の目的は、無線携帯端末のパルス設定制御装置（親機）によりゲート駆動回路に無線でパルス設定情報を送信できるようにすることで、従来不可能であった、複数種類の情報をゲート駆動回路に伝送することを可能とすることである。【００１９】更に他の目的は、パワーエレクトロニクス回路用の高電圧回路のスイッチング素子を開閉させるための複数種類のパルスのパルス幅と設定されたパルスの繰返し回数とを設定するパルス設定制御装置と、スイッチング素子のゲートを開閉制御するゲート駆動回路とを備えたパワーエレクトロニクス回路用の高電圧回路のスイッチング素子の開閉制御装置において、指接触により表示内容が変更できる形式の表示板であって、メッセージ欄と諸機能の設定指示欄と複数のパルス幅設定表示欄とパルスの繰返し回数表示欄とパルス設定情報を無線で受信して前記ゲート駆動回路にスイッチング波形を出力するスイッチング波形出力部を備えた無線携帯端末のパルス設定制御装置（親機）の子機の情報を表示する子機の情報欄とデータ設定及び指示待ち又は実行結果表示欄とが設けられた表示板を有し、該表示板に表示されるパルス幅とパルスの繰返し回数を指接触と指の接触状態での移動により変化させて、パルス幅とパルスの繰返し回数を設定するように構成され設定された所定のパルス設定情報を無線で送信すると共に無線携帯端末のパルス設定制御装置の子機の情報を無線で受信して子機の情報欄に表示するようにした制御プログラムを組み込んでなる無線携帯端末のパルス設定制御置（親機）を備えることにより、該無線携帯端末のパルス設定制御装置（親機）側と、ゲート駆動回路側の子機との間で、無線による双方向通信を可能とすることであり、またこれによって無線携帯端末のパルス設定制御装置（親機）側からのみパルス設定情報等の情報を子機側に送信するのみならず、子機側の情報、例えば子機の所定部位の温度や蓄電池の電圧等の作業者が手元で知りたい貴重な情報を簡単に得られるようにして、より効率的な試験や実用運転を可能とすることである。【００２０】また他の目的は、上記構成に加えて、パルス設定情報やその他の情報を送受信する無線送受信部と、スイッチング内容を表示しながら設定するスイッチング内容表示設定部と、該スイッチング内容表示設定部で設定した設定内容をパルス設定情報に変換する設定内容コマンド変換部と、設定されたパルスの送信の司令を出すパルス設定情報の送信開始司令部と、前記パルス設定制御装置（親機）の子機から無線で受信した子機の状態を表示する子機の状態表示部と、装置全体の制御を司るＣＰＵ制御部とを備え、表示板に表示されるパルス幅とパルスの繰返し回数を指接触と指の接触状態での移動により変化させて、パルス幅とパルスの繰返し回数を設定するように構成され設定された所定のパルスパルス設定情報を無線で送信すると共に無線携帯端末のパルス設定制御装置の子機の情報を無線で受信して子機の情報欄に表示するようにした制御プログラムを組み込んでなる無線携帯端末のパルス設定制御装置（親機）を備えることによって、パルス設定制御装置（親機）側と、ゲート駆動回路側の子機との間で、無線による双方向通信を可能とすることであり、またこれによってパルス設定制御装置（親機）側からのみパルス設定情報等の情報を子機側に送信するのみならず、子機側の情報、例えば子機の所定部位の温度や蓄電池の電圧等の作業者が手元で知りたい貴重な情報を簡単に得られるようにすることで、より効率的な試験や実用運転を可能とすることである。【００２１】更に他の目的は、上記無線携帯端末のパルス設定制御装置（親機）の子機であって、無線携帯端末のパルス設定制御装置（親機）からの情報を無線で受信する無線受信部と、装置全体の制御を司るＣＰＵ制御部と、無線携帯端末のパルス設定制御装置（親機）からの情報をコマンド解析するコマンド解析部と、ゲート駆動回路にスイッチング波形を出力するスイッチング波形出力部と、回路駆動用の電源として用いる蓄電池とを備え、無線携帯端末のパルス設定制御置（親機）から送信されるパルス設定情報を無線で受信してゲート駆動回路にスイッチング波形を出力するようにした無線携帯端末のパルス設定制御装置の子機を備えることにより、ゲート駆動回路側の子機を他電源に対して独立させることであり、またこれによってスイッチング設定制御装置（親機）とゲート駆動回路側の子機との間の電気絶縁対策を不要とすることであ。
また他の目的は、スイッチング設定制御装置（親機）と子機とは無線での情報伝達を可能とすることであり、またこれによって信号ケーブルの配線を不要とし、また配線がないことにより感電のおそれをなくしてより安全な作業を可能とすることである。【００２２】また他の目的は、上記パルス設定制御装置（親機）の子機であって、無線携帯端末のパルス設定制御送置（親機）からの情報を無線で受信すると共に自身の情報を無線で無線携帯端末のパルス設定制御装置（親機）に送信する無線送受信部と、装置全体の制御を司るＣＰＵ制御部と、前記無線携帯端末のパルス設定制御装置（親機）から受信した情報をコマンド解析するコマンド解析部と、前記ゲート駆動回路にスイッチング波形を出力するスイッチング波形出力部と、自身の各部位の情報を取得するセンサ部と、自身の識別ＩＤと、回路駆動用の電源として用いる蓄電池とを備え、無線携帯端末のパルス設定制御装置（親機）から送信されるパルス設定情報を無線で受信して前記ゲート駆動回路にスイッチング波形を出力すると共に自身の回路の状態を前記無線携帯端末のパルス設定制御装置（親機）に無線で送信するようにした無線携帯端末のパルス設定制御装置の子機を備えることにより、スイッチング内容コマンド以外に、情報返送依頼コマンドを設定すれば子機側の情報を親機側に返送できるようにすること、例えばセンサ部に温度センサを装備すれば、子機側の温度情報を、またセンサ部にＡ／Ｄコンバータを装備すれば蓄電池の電圧情報を返送することができるようにすることである。
また他の目的は、電源に蓄電池を採用することで、絶縁トランスを不要とし、また絶縁トランスの一次側、二次側の配線を不要とし、更に絶縁対策も不要とすることである。
また他の目的は、信号ケーブルの接続を不要とし、親機側と子機側との間の絶縁対策も不要とし、しかも従来のスイッチング設定制御装置に比べ安全に作業ができるようにすることである。
また他の目的は、スイッチング素子の近くに配置するゲート駆動回路に子機をできるだけ近くに手軽に配置することができるようにすることである。【００２３】更に他の目的は、パワーエレクトロニクス回路用の高電圧回路のスイッチング素子を開閉させるための複数種類のパルスのパルス幅と設定されたパルスの繰返し回数とを設定するパルス設定制御装置と、スイッチング素子のゲートを開閉制御するゲート駆動回路とを備えたパワーエレクトロニクス回路用の高電圧回路のスイッチング素子の開閉制御装置において、指接触により表示内容が変更できる形式の表示板であって、メッセージ欄と諸機能の設定指示欄と複数のパルス幅設定表示欄とパルスの繰返し回数表示欄とデータ設定及び指示待ち又は実行結果表示欄とが設けられた表示板と、パルス設定情報やその他の情報を送信する無線送信部と、スイッチング内容を表示しながら設定するスイッチング内容表示設定部と、該スイッチング内容表示設定部で設定した設定内容をパルス設定情報に変換する設定内容−コマンド変換部と、設定されたパルスの送信の司令を出すパルス設定情報の送信開始司令部と、装置全体の制御を司るＣＰＵ制御部とを備え、表示板に表示されるパルス幅とパルスの繰返し回数を指接触と指の接触状態での移動により変化させて、パルス幅とパルスの繰返し回数を設定するように構成され設定された所定のパルス設定情報を無線で送信するようにした制御プログラムを組み込んでなる無線携帯端末のパルス設定制御装置（親機）と、無線携帯端末のパルス設定制御装置（親機）からの情報を無線で受信する無線受信部と、装置全体の制御を司るＣＰＵ制御部と、無線携帯端末のパルス設定制御装置（親機）から受信した情報をコマンド解析するコマンド解析部と、ゲート駆動回路にスイッチング波形を出力するスイッチング波形出力部と、回路駆動用の電源として用いる蓄電池とを備え、無線携帯端末のパルス設定制御装置（親機）から送信されるパルス設定情報を無線で受信してゲート駆動回路にスイッチング波形を出力するようにした無線携帯端末のパルス設定制御装置の子機とを備えることにより、高電圧、大電流で使用されるＩＧＢＴ等のスイッチング素子の試験や実用運転に際して、そのスイッチング内容の設定、即ちパルス幅やパルス数の設定作業を著しく容易化することであり、またパルス設定制御装置からゲート駆動回路への信号伝達を無線化することで、高電圧、大電流下での作業者への感電事故のおそれをなくし、作業者の身の安全を図ることであり、また電源ケーブルや矩形波信号ケーブル等の配線の接続や取回しを不要とすることで作業の著しい効率化を図ることである。
また他の目的は、無線携帯端末のパルス設定制御装置によりゲート駆動回路に無線でパルス設定情報を送信できるようにすることで、従来不可能であった、複数種類の情報をゲート駆動回路に伝送することを可能とすることである。【００２４】また他の目的は、パワーエレクトロニクス回路用の高電圧回路のスイッチング素子を開閉させるための複数種類のパルスのパルス幅と設定されたパルスの繰返し回数とを設定するパルス設定制御装置と、スイッチング素子のゲートを開閉制御するゲート駆動回路とを備えたパワーエレクトロニクス回路用の高電圧回路のスイッチング素子の開閉制御装置において、指接触により表示内容が変更できる形式の表示板であって、メッセージ欄とパルス設定情報を無線で受信してゲート駆動回路にスイッチング波形を出力するスイッチング波形出力部を備えた無線携帯端末のパルス設定制御装置（親機）の子機の情報を表示する子機の情報欄と諸機能の設定指示欄と複数のパルス幅設定表示欄とパルスの繰返し回数表示欄とデータ設定及び指示待ち又は実行結果表示欄とが設けられた表示板と、パルス設定情報やその他の情報を送受信する無線送受信部と、スイッチング内容を表示しながら設定するスイッチング内容表示設定部と、該スイッチング内容表示設定部で設定した設定内容をパルス設定情報に変換する設定内容−コマンド変換部と、設定されたパルスの送信の司令を出すパルス設定情報の送信開始司令部と、無線携帯端末のパルス設定制御装置（親機）の子機から無線で受信した子機の状態を表示する子機の状態表示部と、装置全体の制御を司るＣＰＵ制御部とを備え、表示板に表示されるパルス幅とパルスの繰返し回数を指接触と指の接触状態での移動により変化させて、パルス幅とパルスの繰返し回数を設定するように構成され設定された所定のパルス設定情報を無線で送信すると共に無線携帯端末のパルス設定制御装置の子機の情報を無線で受信して子機の情報欄に表示するようにした制御プログラムを組み込んでなる無線携帯端末のパルス設定制御装置（親機）と、該無線携帯端末のパルス設定制御装置（親機）の子機であって、無線携帯端末のパルス設定制御装置（親機）からの情報を無線で受信すると共に自身の情報を無線で前記無線携帯端末のパルス設定制御装置（親機）に送信する無線送受信部と、装置全体の制御を司るＣＰＵ制御部と、無線携帯端末のパルス設定制御装置（親機）から受信した情報をコマンド解析するコマンド解析部と、ゲート駆動回路にスイッチング波形を出力するスイッチング波形出力部と、自身の各部位の情報を取得するセンサ部と、自身の識別ＩＤと、回路駆動用の電源として用いる蓄電池とを備え、無線携帯端末のパルス設定制御装置（親機）から送信されるパルス設定情報を無線で受信してゲート駆動回路にスイッチング波形を出力すると共に自身の回路の状態を無線携帯端末のパルス設定制御装置（親機）に無線で送信するようにした無線携帯端末のパルス設定制御装置の子機とを備えることにより、パルス設定制御装置（親機）側と、ゲート駆動回路側の子機との間で、無線による双方向通信を可能とすることであり、またこれによってパルス設定制御装置（親機）側からのみパルス設定情報等の情報を子機側に送信するのみならず、子機側の情報、例えば子機の所定部位の温度や蓄電池の電圧等の作業者が手元で知りたい貴重な情報を簡単に得られるようにすることで、より効率的な試験や実用運転を可能とすることである。【００２５】また他の目的は、無線携帯端末のパルス設定制御装置の子機は、夫々異なる自身の識別ＩＤ番号を持つ複数のもので構成され、無線携帯端末のパルス設定制御装置による子機の識別ＩＤ番号の選択操作によりその作動をＯＮ・ＯＦＦさせてＯＮ状態の子機のみを作動させるように構成することによって、単一の無線携帯端末のパルス設定制御装置（親機）により、複数の子機を選択して使用することを可能とし、装置の使用性を向上させ、しかも各子機の情報を容易に親機側で確保できるようにして、子機及びゲート回路の維持、管理を完全なものとすることである。
【課題を解決するための手段】
【００２９】要するに本発明（請求項１）は、パワーエレクトロニクス回路用の高電圧回路のスイッチング素子を開閉させるための複数種類のパルスのパルス幅と設定された前記パルスの繰返し回数とを設定するパルス設定制御装置と、前記スイッチング素子のゲートを開閉制御するゲート駆動回路とを備えたパワーエレクトロニクス回路用の高電圧回路のスイッチング素子の開閉制御装置において、指接触、キーボード又はマウスにより表示内容が変更できる形式の表示板であって、メッセージ欄と諸機能の設定指示欄と複数のパルス幅設定表示欄とパルスの繰返し回数表示欄とデータ設定及び指示待ち又は実行結果表示欄とが設けられた表示板を有し、該表示板に表示されるパルス幅とパルスの繰返し回数を指接触と指の接触状態での移動により、又は前記キーボード、マウスの操作により変化させて、パルス幅とパルスの繰返し回数を設定するように構成され設定された所定のパルス設定情報を無線で送信するようにした制御プログラムを組み込んでなる無線携帯端末のパルス設定制御装置（親機）を備えたことを特徴とするものである。【００３０】また本発明（請求項２）は、パワーエレクトロニクス回路用の高電圧回路のスイッチング素子を開閉させるための複数種類のパルスのパルス幅と設定された前記パルスの繰返し回数とを設定するパルス設定制御装置と、前記スイッチング素子のゲートを開閉制御するゲート駆動回路とを備えたパワーエレクトロニクス回路用の高電圧回路のスイッチング素子の開閉制御装置において、指接触により表示内容が変更できる形式の表示板であって、メッセージ欄と諸機能の設定指示欄と複数のパルス幅設定表示欄と前記パルスの繰返し回数表示欄とデータ設定及び指示待ち又は実行結果表示欄とが設けられた表示板と、パルス設定情報やその他の情報を送信する無線送信部と、スイッチング内容を表示しながら設定するスイッチング内容表示設定部と、該スイッチング内容表示設定部で設定した設定内容をパルス設定情報に変換する設定内容−コマンド変換部と、設定されたパルスの送信の司令を出すパルス設定情報の送信開始司令部と、装置全体の制御を司るＣＰＵ制御部とを備え、前記表示板に表示される前記パルス幅とパルスの繰返し回数を指接触と指の接触状態での移動により変化させて、前記パルス幅とパルスの繰返し回数を設定するように構成され設定された所定のパルス設定情報を無線で送信するようにした制御プログラムを組み込んでなる無線携帯端末のパルス設定制御装置（親機）を備えたことを特徴とするものである。【００３１】また本発明（請求項３）は、パワーエレクトロニクス回路用の高電圧回路のスイッチング素子を開閉させるための複数種類のパルスのパルス幅と設定された前記パルスの繰返し回数とを設定するパルス設定制御装置と、前記スイッチング素子のゲートを開閉制御するゲート駆動回路とを備えたパワーエレクトロニクス回路用の高電圧回路のスイッチング素子の開閉制御装置において、指接触により表示内容が変更できる形式の表示板であって、メッセージ欄と諸機能の設定指示欄と複数のパルス幅設定表示欄と前記パルスの繰返し回数表示欄とパルス設定情報を無線で受信して前記ゲート駆動回路にスイッチング波形を出力するスイッチング波形出力部を備えた無線携帯端末のパルス設定制御装置の子機の情報を表示する子機の情報欄とデータ設定及び指示待ち又は実行結果表示欄とが設けられた表示板を有し、該表示板に表示される前記パルス幅とパルスの繰返し回数を指接触と指の接触状態での移動により変化させて、前記パルス幅とパルスの繰返し回数を設定するように構成され設定された所定のパルス設定情報を無線で送信すると共に前記パルス設定制御装置の子機の情報を無線で受信して前記子機の情報欄に表示するようにした制御プログラムを組み込んでなる無線携帯端末のパルス設定制御装置（親機）を備えたことを特徴とするものである。【００３２】また本発明（請求項４）は、パワーエレクトロニクス回路用の高電圧回路のスイッチング素子を開閉させるための複数種類のパルスのパルス幅と設定された前記パルスの繰返し回数とを設定するパルス設定制御装置と、前記スイッチング素子のゲートを開閉制御するゲート駆動回路とを備えたパワーエレクトロニクス回路用の高電圧回路のスイッチング素子の開閉制御装置において、指接触により表示内容が変更できる形式の表示板であって、メッセージ欄と諸機能の設定指示欄と複数のパルス幅設定表示欄と前記パルスの繰返し回数表示欄とパルス設定情報を無線で受信して前記ゲート駆動回路にスイッチング波形を出力するスイッチング波形出力部を備えた無線携帯端末のパルス設定制御装置の子機の情報を表示する子機の情報欄とデータ設定及び指示待ち又は実行結果表示欄とが設けられた表示板と、パルス設定情報やその他の情報を送信する無線送受信部と、スイッチング内容を表示しながら設定するスイッチング内容表示設定部と、該スイッチング内容表示設定部で設定した設定内容をパルス設定情報に変換する設定内容−コマンド変換部と、設定されたパルスの送信の司令を出すパルス設定情報の送信開始司令部と、前記パルス設定制御装置の子機から無線で受信した子機の状態を表示する子機の状態表示部と、装置全体を制御するＣＰＵ制御部とを備え、前記表示板に表示される前記パルス幅とパルスの繰返し回数を指接触と指の接触状態での移動により変化させて、前記パルスの繰返し回数を設定するように構成され設定された所定のパルス設定情報を無線で送信すると共に前記無線携帯端末のパルス設定制御装置の子機の情報を無線で受信して前記子機の情報欄に表示するようにした制御プログラムを組み込んでなる無線携帯端末のパルス設定制御装置（親機）を備えたことを特徴とするものである。【００３３】また本発明（請求項５）は、パワーエレクトロニクス回路用の高電圧回路のスイッチング素子を開閉させるための複数種類のパルスのパルス幅と設定された前記パルスの繰返し回数とを設定するパルス設定制御装置と、前記スイッチング素子のゲートを開閉制御するゲート駆動回路とを備えたパワーエレクトロニクス回路用の高電圧回路のスイッチング素子の開閉制御装置において、指接触により表示内容が変更できる形式の表示板であって、メッセージ欄と諸機能の設定指示欄と複数のパルス幅設定表示欄と前記パルスの繰返し回数表示欄とデータ設定及び指示待ち又は実行結果表示欄とが設けられた表示板を有し、該表示板に表示される前記パルス幅とパルスの繰返し回数を指接触と指の接触状態での移動により変化させて、前記パルス幅とパルスの繰返し回数を設定するように構成され設定された所定のパルス設定情報を無線で送信するようにした制御プログラムを組み込んでなる無線携帯端末のパルス設定制御装置（親機）の子機であって、前記無線携帯端末のパルス設定制御装置（親機）からの情報を無線で受信する無線受信部と、装置全体の制御を司るＣＰＵ制御部と、前記無線携帯端末のパルス設定制御装置（親機）から受信した情報をコマンド解析するコマンド解析部と、前記ゲート駆動回路にスイッチング波形を出力するスイッチング波形出力部と、回路駆動用の電源として用いる蓄電池とを備え、前記無線携帯端末のパルス設定制御装置から送信されるパルス設定情報を無線で受信して前記ゲート駆動回路にスイッチング波形を出力するようにしたパルス設定制御装置の子機を備えたことを特徴とするものである。【００３４】また本発明（請求項６）は、パワーエレクトロニクス回路用の高電圧回路のスイッチング素子を開閉させるための複数種類のパルスのパルス幅と設定された前記パルスの繰返し回数とを設定するパルス設定制御装置と、前記スイッチング素子のゲートを開閉制御するゲート駆動回路とを備えたパワーエレクトロニクス回路用の高電圧回路のスイッチング素子の開閉制御装置において、指接触により表示内容が変更できる形式の表示板であって、メッセージ欄とパルス設定制御装置の子機の情報を表示する子機の情報欄と諸機能の設定指示欄と複数のパルス幅設定表示欄と前記パルスの繰返し回数表示欄とデータ設定及び指示待ち又は実行結果表示欄とが設けられた表示板を有し、該表示板に表示される前記パルス幅とパルスの繰返し回数を指接触と指の接触状態での移動により変化させて、前記パルス幅とパルスの繰返し回数を設定するように構成され設定された所定のパルス設定情報を無線で送信すると共に前記パルス幅とパルスの繰返し回数を設定するように構成され設定された所定のパルス設定情報を無線で送信するようにした制御プログラムを組み込んでなる無線携帯端末のパルス設定制御装置の子機の情報を無線で受信して前記子機の情報欄に表示するようにした制御プログラムを組み込んでなる無線携帯端末のパルス設定制御装置（親機）の子機であって、前記無線携帯端末のパルス設定制御装置（親機）からの情報を無線で受信すると共に自身の情報を無線で前記無線携帯端末のパルス設定制御装置（親機）に送信する無線送受信部と、装置全体の制御を司るＣＰＵ制御部と、前記無線携帯端末のパルス設定制御装置（親機）から受信した情報をコマンド解析するコマンド解析部と、前記ゲート駆動回路にスイッチング波形を出力するスイッチング波形出力部と、自身の各部位の情報を取得するセンサ部と、自身の識別ＩＤと、回路駆動用の電源として用いる蓄電池とを備え、前記無線携帯端末のパルス設定制御装置（親機）から送信されるパルス設定情報を無線で受信して前記ゲート駆動回路にスイッチング波形を出力すると共に自身の回路の状態を前記無線携帯端末のパルス設定制御装置（親機）に無線で送信するようにした無線携帯端末のパルス設定制御装置の子機を備えたことを特徴とするものである。【００３５】また本発明（請求項７）は、パワーエレクトロニクス回路用の高電圧回路のスイッチング素子を開閉させるための複数種類のパルスのパルス幅と設定された前記パルスの繰返し回数とを設定するパルス設定制御装置と、前記スイッチング素子のゲートを開閉制御するゲート駆動回路とを備えたパワーエレクトロニクス回路用の高電圧回路のスイッチング素子の開閉制御装置において、指接触により表示内容が変更できる形式の表示板であって、メッセージ欄と諸機能の設定指示欄と複数のパルス幅設定表示欄と前記パルスの繰返し回数表示欄とデータ設定及び指示待ち又は実行結果表示欄とが設けられた表示板と、パルス設定情報やその他の情報を送信する無線送信部と、スイッチング内容を表示しながら設定するスイッチング内容表示設定部と、該スイッチング内容表示設定部で設定した設定内容をパルス設定情報に変換する設定内容−コマンド変換部と、設定されたパルスの送信の司令を出すパルス設定情報の送信開始司令部と、装置全体の制御を司るＣＰＵ制御部とを備え、前記表示板に表示される前記パルス幅とパルスの繰返し回数を指接触と指の接触状態での移動により変化させて、前記パルス幅とパルスの繰返し回数を設定するように構成され設定された所定のパルス設定情報を無線で送信するようにした制御プログラムを組み込んでなる無線携帯端末のパルス設定制御装置（親機）と、前記無線携帯端末のパルス設定制御装置（親機）からの情報を無線で受信する無線受信部と、装置全体の制御を司るＣＰＵ制御部と、前記無線携帯端末のパルス設定制御装置（親機）から受信した情報をコマンド解析するコマンド解析部と、前記ゲート駆動回路にスイッチング波形を出力するスイッチング波形出力部と、回路駆動用の電源として用いる蓄電池とを備え、前記無線携帯端末のパルス設定制御装置（親機）から送信されるパルス設定情報を無線で受信して前記ゲート駆動回路にスイッチング波形を出力するようにした無線携帯端末のパルス設定制御装置の子機とを備えたことを特徴とするものである。【００３６】また本発明（請求項８）は、パワーエレクトロニクス回路用の高電圧回路のスイッチング素子を開閉させるための複数種類のパルスのパルス幅と設定された前記パルスの繰返し回数とを設定するパルス設定制御装置と、前記スイッチング素子のゲートを開閉制御するゲート駆動回路とを備えたパワーエレクトロニクス回路用の高電圧回路のスイッチング素子の開閉制御装置において、指接触により表示内容が変更できる形式の表示板であって、メッセージ欄とパルス設定情報を無線で受信して前記ゲート駆動回路にスイッチング波形を出力するスイッチング波形出力部を備えた無線携帯端末のパルス設定制御装置の子機の情報を表示する子機の情報欄と諸機能の設定指示欄と複数のパルス幅設定表示欄と前記パルスの繰返し回数表示欄とデータ設定及び指示待ち又は実行結果表示欄とが設けられた表示板と、パルス設定情報やその他の情報を送受信する無線送受信部と、該スイッチング内容表示設定部で設定した設定内容をパルス設定情報に変換する設定内容−コマンド変換部と、設定されたパルスの送信の司令を出すパルス設定情報の送信開始司令部と、前記無線携帯端末のパルス設定制御装置の子機から無線で受信した子機の状態を表示する子機の状態表示部と、装置全体の制御を司るＣＰＵ制御部とを備え、前記表示板に表示される前記パルス幅とパルスの繰返し回数を指接触と指の接触状態での移動により変化させて、前記パルス幅とパルスの繰返し回数を設定するように構成され設定された所定のパルス設定情報を無線で送信すると共に前記無線携帯端末のパルス設定制御装置の子機の情報を無線で受信して前記子機の情報欄に表示するようにした制御プログラムを組み込んでなる無線携帯端末のパルス設定制御装置（親機）と、該無線携帯端末のパルス設定制御装置の子機であって、前記無線携帯端末のパルス設定制御装置（親機）からの情報を無線で受信すると共に自身の情報を無線で前記無線携帯端末のパルス設定制御装置（親機）に送信する無線送受信部と、装置全体の制御を司るＣＰＵ制御部と、前記無線携帯端末のパルス設定制御装置（親機）から受信した情報をコマンド解析するコマンド解析部と、前記ゲート駆動回路にスイッチング波形を出力するスイッチング波形出力部と、自身の各部位の情報を取得するセンサ部と、自身の識別ＩＤと、回路駆動用の電源として用いる蓄電池とを備え、前記無線携帯端末のパルス設定制御装置（親機）から送信されるパルス設定情報を無線で受信して前記ゲート駆動回路にスイッチング波形を出力すると共に自身の回路の状態を前記無線携帯端末のパルス設定制御装置に無線で送信するようにした無線携帯端末のパルス設定制御装置の子機とを備えたことを特徴とするものである。【００３７】また本発明（請求項９）は、無線携帯端末のパルス設定制御装置の子機は、夫々異なる自身の識別ＩＤ番号を持つ複数のもので構成され、前記無線携帯端末のパルス設定制御装置による前記子機の識別ＩＤ番号の選択操作によりその作動をＯＮ・ＯＦＦさせてＯＮ状態の子機のみを作動させるように構成したことを特徴とするものである。
【発明の効果】
【００４１】本発明は、上記のように、パワーエレクトロニクス回路用の高電圧回路のスイッチング素子を開閉させるための複数種類のパルスのパルス幅と設定されたパルスの繰返し回数とを設定するパルス設定制御装置と、スイッチング素子のゲートを開閉制御するゲート駆動回路とを備えたパワーエレクトロニクス回路用の高電圧回路のスイッチング素子の開閉制御装置において、指接触、キーボード又はマウスにより表示内容が変更できる形式の表示板であって、メッセージ欄と諸機能の設定指示欄と複数のパルス幅設定表示欄とパルスの繰返し回数表示欄とデータ設定及び指示待ち又は実行結果表示欄とが設けられた表示板を有し、該表示板に表示されるパルス幅とパルスの繰返し回数を指接触と指の接触状態での移動により、又はキーボード、マウスの操作により変化させて、パルス幅とパルスの繰返し回数を設定するように構成され設定された所定のパルス設定情報を無線で送信するようにした制御プログラムを組み込んでなる無線携帯端末のパルス設定制御装置（親機）を備えたので、高電圧、大電流で使用されるＩＧＢＴ等のスイッチング素子の試験や実用運転に際して、そのスイッチング内容の設定、即ちパルス幅やパルス数の設定作業を著しく容易化することができる効果があり、また無線携帯端末のパルス設定制御装置（親機）からゲート駆動回路への信号伝達を無線化したので、高電圧、大電流下での作業者への感電事故のおそれをなくし、作業者の身の安全を図ることができ、また電源ケーブルや矩形波信号ケーブル等の配線の接続や取回しが不要となるため作業の著しい効率化を図ることができる効果がある。
また無線携帯端末のパルス設定制御装置（親機）によりゲート駆動回路に無線でパルス設定情報を送信できるようにしたので、従来不可能であった複数種類の情報をゲート駆動回路に伝送することが可能となった。【００４２】また本発明は、上記構成に加えて、パルス設定情報やその他の情報を送信する無線送信部と、スイッチング内容を表示しながら設定するスイッチング内容表示設定部と、該スイッチング内容表示設定部で設定した設定内容をパルス設定情報に変換する設定内容−コマンド変換部と、設定されたパルスの送信の司令を出すパルス設定情報の送信開始司令部と、装置全体の制御を司るＣＰＵ制御部とを備えたので、上記と同様、高電圧、大電流で使用されるＩＧＢＴ等のスイッチング素子の試験や実用運転に際して、そのスイッチング内容の設定、即ちパルス幅やパルス数の設定作業を著しく容易化することができ、また無線携帯端末のパルス設定制御装置（親機）からゲート駆動回路への信号伝達を無線化したので、電源ケーブルや矩形波信号ケーブル等の配線の接続や取回しを不要とし得るため作業の著しい効率化を図ることができる効果がある。
また無線携帯端末のパルス設定制御装置（親機）によりゲート駆動回路に無線でパルス設定情報を送信できるようになるため、従来不可能であった複数種類の情報をゲート駆動回路に伝送することが可能となる効果がある。【００４３】また本発明は、パワーエレクトロニクス回路用の高電圧回路のスイッチング素子を開閉させるための複数種類のパルスのパルス幅と設定されたパルスの繰返し回数とを設定するパルス設定制御装置と、スイッチング素子のゲートを開閉制御するゲート駆動回路とを備えたパワーエレクトロニクス回路用の高電圧回路のスイッチング素子の開閉制御装置において、指接触により表示内容が変更できる形式の表示板であって、メッセージ欄と諸機能の設定指示欄と複数のパルス幅設定表示欄とパルスの繰返し回数表示欄とパルス設定情報を無線で受信して前記ゲート駆動回路にスイッチング波形を出力するスイッチング波形出力部を備えた無線携帯端末のパルス設定制御装置（親機）の子機の情報を表示する子機の情報欄とデータ設定及び指示待ち又は実行結果表示欄とが設けられた表示板を有し、該表示板に表示されるパルス幅とパルスの繰返し回数を指接触と指の接触状態での移動により変化させて、パルス幅とパルスの繰返し回数を設定するように構成され設定された所定のパルス設定情報を無線で送信すると共に無線携帯端末のパルス設定制御装置の子機の情報を無線で受信して子機の情報欄に表示するようにした制御プログラムを組み込んでなる無線携帯端末のパルス設定制御置（親機）を備えたので、無線携帯端末のパルス設定制御装置（親機）側と、ゲート駆動回路側の子機との間で、無線による双方向通信を可能となる効果があり、またこの結果無線携帯端末のパルス設定制御装置（親機）側からのみパルス設定情報等の情報を子機側に送信するのみならず、子機側の情報、例えば子機の所定部位の温度や蓄電池の電圧等の作業者が手元で知りたい貴重な情報を簡単に得られるようになるため、より効率的な試験や実用運転を可能とする効果がある。【００４４】また本発明は、上記構成に加えて、パルス設定情報やその他の情報を送受信する無線送受信部と、スイッチング内容を表示しながら設定するスイッチング内容表示設定部と、該スイッチング内容表示設定部で設定した設定内容をパルス設定情報に変換する設定内容−コマンド変換部と、設定されたパルスの送信の司令を出すパルス設定情報の送信開始司令部と、前記パルス設定制御装置（親機）の子機から無線で受信した子機の状態を表示する子機の状態表示部と、装置全体の制御を司るＣＰＵ制御部とを備え、表示板に表示されるパルス幅とパルスの繰返し回数を指接触と指の接触状態での移動により変化させて、パルス幅とパルスの繰返し回数を設定するように構成され設定された所定のパルス設定情報を無線で送信すると共に前記無線携帯端末のパルス設定制御装置の子機の情報を無線で受信して子機の情報欄に表示するようにした制御プログラムを組み込んでなる無線携帯端末のパルス設定制御装置（親機）を備えたので、無線携帯端末のパルス設定制御装置（親機）側と、ゲート駆動回路側の子機との間で、無線による双方向通信を可能とすることができ、またこの結果無線携帯端末のパルス設定制御装置（親機）側からのみパルス設定情報等の情報を子機側に送信するのみならず、子機側の情報、例えば子機の所定部位の温度や蓄電池の電圧等の作業者が手元で知りたい貴重な情報を簡単に得られるようになるため、より効率的な試験や実用運転を可能し得る効果がある。【００４５】また本発明は、上記無線携帯端末のパルス設定制御装置（親機）の子機であって、無線携帯端末のパルス設定制御装置（親機）からの情報を無線で受信する無線受信部と、装置全体の制御を司るＣＰＵ制御部と、無線携帯端末のパルス設定制御装置（親機）から受信した情報をコマンド解析するコマンド解析部と、ゲート駆動回路にスイッチング波形を出力するスイッチング波形出力部と、回路駆動用の電源として用いる蓄電池とを備え、無線携帯端末のパルス設定制御装置（親機）から送信されるパルス設定情報を無線で受信してゲート駆動回路にスイッチング波形を出力するようにしたパルス設定制御装置の子機を備えたので、ゲート駆動回路側の子機を他電源に対して独立させることができ、またこの結果スイッチング設定制御装置（親機）とゲート駆動回路側の子機との間の電気絶縁対策が不要となる効果がある。
またスイッチング設定制御装置（親機）と子機とは無線での情報伝達が可能となるため、信号ケーブルの配線が不要となり、また配線がないことにより感電のおそれをなくしてより安全な作業を可能となる効果がある。【００４６】また本発明は、上記パルス設定制御装置（親機）の子機であって、無線携帯端末のパルス設定制御送置（親機）からの情報を無線で受信すると共に自身の情報を無線で無線携帯端末のパルス設定制御装置（親機）に送信する無線送受信部と、装置全体の制御を司るＣＰＵ制御部と、前記無線携帯端末のパルス設定制御装置（親機）から受信した情報をコマンド解析するコマンド解析部と、前記ゲート駆動回路にスイッチング波形を出力するスイッチング波形出力部と、自身の各部位の情報を取得するセンサ部と、自身の識別ＩＤと、回路駆動用の電源として用いる蓄電池とを備え、パルス設定制御装置（親機）から送信されるパルス設定情報を受信して前記ゲート駆動回路にスイッチング波形を出力すると共に自身の回路の状態を前記無線携帯端末のパルス設定制御装置（親機）に無線で送信するようにした無線携帯端末のパルス設定制御装置（親機）の子機を備えたので、スイッチング内容コマンド以外に、情報返送依頼コマンドを設定すれば子機側の情報を親機側に返送できるようになる効果、例えばセンサ部に温度センサを装備すれば、子機側の温度情報を、またセンサ部にＡ／Ｄコンバータを装備すれば蓄電池の電圧情報を返送することができるという効果がある。
また電源に蓄電池を採用したので、絶縁トランスが不要となり、また絶縁トランスの一次側、二次側の配線も不要となり、更に絶縁対策も不要となる効果がある。
また信号ケーブルの接続が不要となり、親機側と子機側との間の絶縁対策も不要となり、しかも従来のスイッチング設定制御装置に比べ安全に作業ができるようになるという効果がある。
またスイッチング素子の近くに配置するゲート駆動回路に子機をできるだけ近くに手軽に配置することができるようになる効果がある。【００４７】また本発明は、パワーエレクトロニクス回路用の高電圧回路のスイッチング素子を開閉させるための複数種類のパルスのパルス幅と設定されたパルスの繰返し回数とを設定するパルス設定制御装置と、スイッチング素子のゲートを開閉制御するゲート駆動回路とを備えたパワーエレクトロニクス回路用の高電圧回路のスイッチング素子の開閉制御装置において、指接触により表示内容が変更できる形式の表示板であって、メッセージ欄と諸機能の設定指示欄と複数のパルス幅設定表示欄とパルスの繰返し回数表示欄とデータ設定及び指示待ち又は実行結果表示欄とが設けられた表示板と、パルス設定情報やその他の情報を送信する無線送信部と、スイッチング内容を表示しながら設定するスイッチング内容表示設定部と、該スイッチング内容表示設定部で設定した設定内容をパルス設定情報に変換する設定内容−コマンド変換部と、設定されたパルスの送信の司令を出すパルス設定情報の送信開始司令部と、装置全体の制御を司るＣＰＵ制御部とを備え、表示板に表示されるパルス幅とパルスの繰返し回数を指接触と指の接触状態での移動により変化させて、パルス幅とパルスの繰返し回数を設定するように構成され設定された所定のパルス設定情報を無線で送信するようにした制御プログラムを組み込んでなる無線携帯端末のパルス設定制御装置（親機）と、無線携帯端末のパルス設定制御装置（親機）からの情報を無線で受信する無線受信部と、装置全体の制御を司るＣＰＵ制御部と、無線携帯端末のパルス設定制御装置（親機）から受信した情報をコマンド解析するコマンド解析部と、ゲート駆動回路にスイッチング波形を出力するスイッチング波形出力部と、回路駆動用の電源として用いる蓄電池とを備え、無線携帯端末のパルス設定制御装置（親機）から送信されるパルス設定情報を無線で受信してゲート駆動回路にスイッチング波形を出力するようにした無線携帯端末のパルス設定制御装置（親機）の子機を備えたので、高電圧、大電流で使用されるＩＧＢＴ等のスイッチング素子の試験や実用運転に際して、そのスイッチング内容の設定、即ちパルス幅やパルス数の設定作業を著しく容易化し得る効果があり、またパルス設定制御装置からゲート駆動回路への信号伝達を無線化したので、高電圧、大電流下での作業者への感電事故のおそれをなくし、作業者の身の安全を図ることができ、また電源ケーブルや矩形波信号ケーブル等の配線の接続や取回しが不要となるため作業の著しい効率化を図ることができる効果がある。
また無線携帯端末のパルス設定制御装置（親機）によりゲート駆動回路に無線でパルス設定情報を送信できるようになるため、従来不可能であった、複数種類の情報をゲート駆動回路に伝送することが可能となる効果がある。【００４８】また本発明は、パワーエレクトロニクス回路用の高電圧回路のスイッチング素子を開閉させるための複数種類のパルスのパルス幅と設定されたパルスの繰返し回数とを設定するパルス設定制御装置と、スイッチング素子のゲートを開閉制御するゲート駆動回路とを備えたパワーエレクトロニクス回路用の高電圧回路のスイッチング素子の開閉制御装置において、指接触により表示内容が変更できる形式の表示板であって、メッセージ欄とパルス設定情報を無線で受信してゲート駆動回路にスイッチング波形を出力するスイッチング波形出力部を備えた無線携帯端末のパルス設定制御装置（親機）の子機の情報を表示する子機の情報欄と諸機能の設定指示欄と複数のパルス幅設定表示欄とパルスの繰返し回数表示欄とデータ設定及び指示待ち又は実行結果表示欄とが設けられた表示板と、パルス設定情報やその他の情報を送受信する無線送受信部と、スイッチング内容を表示しながら設定するスイッチング内容表示設定部と、該スイッチング内容表示設定部で設定した設定内容をパルス設定情報に変換する設定内容−コマンド変換部と、設定されたパルスの送信の司令を出すパルス設定情報の送信開始司令部と、無線携帯端末のパルス設定制御装置の子機から無線で受信した子機の状態を表示する子機の状態表示部と、装置全体の制御を司るＣＰＵ制御部とを備え、表示板に表示されるパルス幅とパルスの繰返し回数を指接触と指の接触状態での移動により変化させて、パルス幅とパルスの繰返し回数を設定するように構成され設定された所定のパルス設定情報を無線で送信すると共に無線携帯端末のパルス設定制御装置の子機の情報を無線で受信して子機の情報欄に表示するようにした制御プログラムを組み込んでなる無線携帯端末のパルス設定制御装置（親機）と、該無線携帯端末のパルス設定制御装置の子機であって、無線携帯端末のパルス設定制御装置（親機）からの情報を無線で受信すると共に自身の情報を無線で前記無線携帯端末のパルス設定制御装置（親機）に送信する無線送受信部と、装置全体の制御を司るＣＰＵ制御部と、無線携帯端末のパルス設定制御装置（親機）から受信した情報をコマンド解析するコマンド解析部と、ゲート駆動回路にスイッチング波形を出力するスイッチング波形出力部と、自身の各部位の情報を取得するセンサ部と、自身の識別ＩＤと、回路駆動用の電源として用いる蓄電池とを備え、無線携帯端末のパルス設定制御置（親機）から送信されるパルス設定情報を無線で受信してゲート駆動回路にスイッチング波形を出力すると共に自身の回路の状態を前記無線携帯端末のパルス設定制御置（親機）に無線で送信するようにした無線携帯端末のパルス設定制御装置の子機とを備えたので、無線携帯端末のパルス設定制御装置（親機）側と、ゲート駆動回路側の子機との間で、無線による双方向通信を可能となる画期的な効果が得られ、またこの結果無線携帯端末のパルス設定制御装置（親機）側からのみパルス設定情報等の情報を子機側に送信するのみならず、子機側の情報、例えば子機の所定部位の温度や蓄電池の電圧等の作業者が手元で知りたい貴重な情報を簡単に得られることになり、より効率的な試験や実用運転を可能とし得る効果がある。【００４９】また本発明は、無線携帯端末のパルス設定制御装置の子機は、夫々異なる自身の識別ＩＤ番号を持つ複数のもので構成され、無線携帯端末のパルス設定制御装置による子機の識別ＩＤ番号の選択操作によりその作動をＯＮ・ＯＦＦさせてＯＮ状態の子機のみを作動させるように構成したので、単一の無線端末のパルス設定制御装置（親機）により、複数の子機を選択して使用することが可能となり、装置の使用性を向上させ、しかも各子機の情報を容易に親機側で確保できるようになるため、子機及びゲート回路の維持、管理を完全なものとすることができる効果がある。
【図面の簡単な説明】
【００５３】
【図１】図１から図１３は本発明の実施例に係り、図１はパワーエレクトロニクス回路用の高電圧回路のスイッチング素子開閉制御装置の全体を示すブロック図である。
【図２】無線携帯端末のパルス設定制御装置（親機）を実物の平面図で、その他をブロック図で示すパワーエレクトロニクス回路用の高電圧回路のスイッチング素子開閉制御装置の全体図である。
【図３】無線携帯端末のパルス設定制御装置（親機）の使用状態を示す平面図である。
【図４】無線携帯端末のパルス設定制御装置（親機）の数字表示部の数字「２」に指を接触させた状態で指を移動させ、指を時計方向に回転移動させて数値を「２」から「３」に加算する状態を示す部分平面図である。
【図５】無線携帯端末のパルス設定制御装置（親機）の数字表示部の数字「９」に指を接触させた状態で指を移動させ、指を反時計方向に回転移動させて数値を「９」から「８」に減算する状態を示す部分平面図である。
【図６】無線携帯端末のパルス設定制御装置（親機）の数字表示部に接触した状態における指の上下左右の移動方向と、数値の加算、減算との関係を示す一覧図である。
【図７】無線携帯端末のパルス設定制御装置の子機の正面図である。
【図８】筐体内に配置されたパルス設定制御装置の複数の子機、ゲート駆動回路、スイッチング素子、パワーエレクトロニクス回路の主回路、負荷及び主回路電源等の設備一式を示す斜視図である。
【図９】図８の設備一式のパルス設定制御装置の子機に対して作業者が無線携帯端末のパルス設定制御装置（親機）を使用して無線で信号を送受信している状態を示す斜視図である。
【図１０】図８の設備一式を３倍に増やして、各筐体に２個ずつの無線携帯端末のパルス設定制御装置の子機、ゲート駆動回路及びスイッチング素子を配置し、合計６個のスイッチング素子の開閉制御を選択的に無線の送受信で行っている状態を示す斜視図である。
【図１１】パルスの一例を示す線図である。
【図１２ａ】図１２ａから図１２ｉは無線携帯端末のパルス設定制御装置（親機）の使用状態を示す平面図であり、図１２ａは初期画面の状態を示す平面図である。
【図１２ｂ】は子機のＩＤが２番のスイッチング素子をＯＦＦにさせる設定中の状態を示す平面図である。
【図１２ｃ】は図１２ｂの画面で「データ設定」をタップして、「子機ＩＤ：０２番はＯＦＦ設定にしてください」というコマンドを送信し、子機ＩＤ：０２番は命令待ちとなり、子機のＩＤが２番の蓄電池の電圧が２．２Ｖであることを子機の情報欄に表示した状態を示す平面図である。
【図１２ｄ】は図１２ｃの画面で「子機のスイッチＯＦＦ」をタップして子機ＩＤが２番のスイッチング素子ををＯＦＦにさせた状態を示す平面図である。
【図１２ｅ】は図１２ｄの画面で「ＯＦＦにしました」をタップして「ＯＦＦにしました」が「データ設定」に戻った状態を示す平面図である。
【図１２ｆ】はパルス幅１を１００．０μｓに、パルス幅２を２００．０μｓに、パルス幅３を３００．０μｓに夫々設定し、繰返し回数を４回に、子機のＩＤ番号を「１」に夫々設定し、子機のＩＤが１番の蓄電池の電圧が２．２Ｖと子機の情報欄に表示された状態を示す平面図である。
【図１２ｇ】は図１２ｆの画面で「データ設定」をタップして「子機ＩＤ：０１番にパルスパターンを設定にしてください」というコマンドを送信し、子機ＩＤ：０１番が命令待ちとなった状態を示す平面図である。
【図１２ｈ】は図１２ｇの画面で「ダブルパルス発射」の部分をタップして設定したパルスパターンを実施する状態を示す平面図である。
【図１２ｉ】は図１２ｈの画面で「パルス発射しました」をタップして「パルス発射しました」が「データ設定」に戻った状態を示す平面図である。
【図１３】図１３から図１４は従来例に係り、図１３は機械式のパルス設定制御装置により光絶縁及びゲート駆動回路を介してＩＧＢＴ等のスイッチング素子を開閉制御するパワーエレクトロニクス回路用の高電圧回路のスイッチング素子開閉制御装置の全体を示すブロック図である。
【図１４】は機械式のパルス設定制御装置の平面図である。
【図１５】は機械式のパルス設定制御装置及び絶縁トランスを、長い電源ケーブル及び矩形波信号ケーブルを使用してゲート駆動回路に接続してスイッチング素子を開閉制御する状態を示す斜視図である。
【発明を実施するための形態】
【００５４】以下本発明を図面に示す実施例に基づいて説明する。なお、図１３から図１５に示す従来例と同一の部分には、図面に同一の符号を付してその説明を省略する。
図１及び図２において、本発明に係るパワーエレクトロニクス回路用の高電圧回路のスイッチング素子開閉制御装置５１は、パワーエレクトロニクス回路３５用の高電圧回路のスイッチング素子６を開閉させるための複数種類のパルスのパルス幅と設定されたパルス幅の繰返し回数とを設定するパルス設定制御装置と、スイッチング素子６のゲートを開閉制御するゲート駆動回路４とを備えたパワーエレクトロニクス回路３５用の高電圧回路のスイッチング素子６の開閉制御装置において、指接触又はキーボード（図示せず）、マウス（図示せず）により表示内容が変更できる形式の表示板であって、メッセージ欄５３ａと子機の情報欄５３ｂと諸機能の設定指示欄５３ｃと複数のパルス幅設定表示欄５３ｄとパルスの繰返し回数表示欄５３ｅと子機の番号表示欄５３ｆとデータ設定及び指示待ち又は実行結果表示欄５３ｇとが設けられた表示板５３と、パルス設定情報やその他の情報を送受信する無線送受信部５４と、スイッチング内容を表示しながら設定するスイッチング内容表示設定部５５と、該スイッチング内容表示設定部で設定した設定内容をパルス設定情報に変換する設定内容−コマンド変換部５６と、設定されたパルスの送信の司令を出すパルス設定情報の送信開始司令部５８と、子機の状態表示部５９と、装置全体の制御を司るＣＰＵ制御部６０とを備え、表示板５３に表示されるパルス幅とパルスの繰返し回数を指接触と指６１の接触状態での移動により又はキーボード、マウスの操作により変化させて、パルス幅とパルスの繰返し回数を設定するように構成され設定された所定のパルス設定情報を無線で送信するようにした制御プログラムを組み込んでなるパルス無線携帯端末のパルス設定制御装置（親機）６２を備えたものである。
【００５５】無線端末のパルス設定制御置（親機）６２は、基本的には市販の無線携帯端末（キーボード又はマウスにより操作されるパーソナルコンピュータを含む）であり、通称「スマートホン」（「スマートホン」は商標）、略して「スマホ」と称される機器を主体に、ソフト（プログラム）を組み込んだものであり、内部にはリチウムイオン電池（図示せず）が内蔵されているため、工業用に利用する場合でも商用電源は全く不要である。そして指向性のほとんどない無線の電波を送信する機能を本発明のスイッチング素子開閉制御装置５１に利用したものである。
【００５６】次に、無線端末のパルス設定制御置（親機）６２の基本的構成について説明すると、パルス幅、繰返し回数及び子機の番号のいずれかの数値を、図２に示すように、指６１の表示板５３への接触と接触状態での移動により変化させて設定することができるようにしたもので、指６１が接触した数字表示部のみの色が変化して他の数字表示部との色変化を生じさせるように構成されている。
一例として、指６１が接触しないときは、全部赤色であるが、指６１が接触すると、その数字表示部のみが黄色に変化するようにしてあり、どの表示部の数字を変化させようとしているかが、はっきりと分かるようにして、誤操作を防止できるようになっている。
【００５７】図２に示すように、指６１は、表示板５３に接触させたまま所定の数字表示部から移動させ、設定しようとする数字が指６１で隠れないように、他の場所で指６１を矢印Ａ，Ｂの如く回転移動させることにより数値が変化するようになっており、他の数字は全く変化することなく表示され続けるようになっている。
そして指６１の一方向の回転移動により数字が加算され、指６１の他方向の回転移動により数字が減算されるように構成され、指６１の一方向又は他方向の回転移動により数字の設定ができるように構成されている。
図示の実施例では、指６１の一方向の回転移動は時計方向（矢印Ａ）であり、他方向の回転移動は反時計方向（矢印Ｂ）と定められている。即ち、図２において、矢印Ａの如く指６１を時計方向に回転移動させると、数値は加算され、矢印Ｂの如く指６１を反時計方向に回転移動させると数値は減算されるようになっていて、極めて簡単に数値の変化、即ち増減がなされ、目標の数値に設定することができるようになっている。
【００５８】次に、無線携帯端末でこのような数値設定ができるロジックを以下に説明する。使用するソフトは、アンドロイド（「アンドロイド」は商標）端末のアプリ製作プログラムであり、これには以下の仕組みが備えられている。
▲１▼画面に接触したことがわかる仕組み
▲２▼接触した画面上の横座標（Ｘ座標）、縦座標（Ｙ座標）がわかる仕組み
▲３▼接触移動していることがわかる仕組み
▲４▼接触移動しているときの接触している画面上のＸ座標、Ｙ座標がわかる仕組み
▲５▼接触している状態から接触を止めた（指を離した）状態がわかる仕組み
本発明では、これらの仕組みを利用して数値の変化手順のプログラム（図示せず）を作成し、本発明の完成に至ったものである。
以下にそのロジックを詳細に説明する。
まず予め変更しようとする１つ若しくは複数の数字表示部分の座標範囲を設定しておく。
指６１の接触を行うと▲１▼，▲２▼の仕組みにより指６１が接触した座標範囲がわかる。これをＸ０，Ｙ０とする。
この座標により、どこの数字表示部に指６１が接触したかがわかり、本ソフトでは赤色地から黄色地として選択された部分を表現している。
その後接触したまま指６１を移動させた後のＸ座標、Ｙ座標は▲３▼，▲４▼の仕組みでわかる。これをＸ１，Ｙ１とする。
指６１の移動量Ｘ２＝Ｘ１−Ｘ０、Ｙ２＝Ｙ１−Ｙ０を計算してＸ２，Ｙ２と夫々の絶対値Ｘ３，Ｙ３及び符号ＶＸ，ＶＹを求める。
計算後はＸ０＝Ｘ１、Ｙ０＝Ｙ１と初期値を置き換え、その後新たに取得するＸ１，Ｙ１とで演算を行い、指６１の移動量を求める。
Ｘ３とＹ３を比較して、Ｘ３が大きい場合は横方向移動したと判定し、また符号ＶＸが正の場合は右方向に符号ＶＸが負の場合は左方向に移動したと判断する。
同様にＸ３とＹ３を比較して、Ｙ３が大きい場合は縦方向移動したと判断し、また符号ＶＹが正の場合は下方向に、符号ＶＹが負の場合は上方向に移動したと判断する。
指６１が接触して、その直後の接触移動が
上方向又は右方向の場合は加算する。
下方向又は左方向の場合は減算する。
図６は以上のロジックを整理して示すものであり、同図において、例えば指６１の直前の方向が右で現在の方向が上であれば指６１の動きは左回転＝反時計方向回転であるから減算と判断する。
また直前の方向が右で現在の方向が下であれば指６１の動きは右回転＝時計方向回転であるから加算と判断する。
【００５９】このようにして、図４に示すように、指６１が時計方向に接触回転移動すれば数値は加算され、例えば２が３になり、図５に示すように、指６１が反時計方向に接触回転移動すれば数値は減算され、例えば９が８になり、結果として無線携帯端末のパルス設定制御装置（親機）６２の表示板５３の上で指６１を接触移動させるだけで数値の加算、減算ができるから、数値の変更、即ち数値の設定が極めて簡単にできるようになったのである。
【００６０】次に、図１から図において、本発明に係る無線携帯端末のパルス設定制御装置の子機５２（以下単に「子機」と略称する。）について説明すると、子機５２は、図７及び図８に示すように、掌サイズの大きさのもので極めてコンパクト、軽量に製作れており、ケース６３に収容されている。
【００６１】そしてパワーエレクトロニクス回路３５用の高電圧回路のスイッチング素子６を開閉させるための複数種類のパルスのパルス幅と設定されたパルスの繰返し回数とを設定するパルス設定制御装置と、スイッチング素子６のゲートを開閉制御するゲート駆動回路４とを備えたパワーエレクトロニクス回路３５用の高電圧回路のスイッチング素子の開閉制御装置において、指接触により表示内容が変更できる形式の表示板５３であってメッセージ欄５３ａとパルス設定制御装置の子機の情報を表示する子機の情報欄５３ｂと諸機能の設定指示欄５３ｃと複数のパルス幅設定表示欄５３ｄとパルスの繰返し回数表示欄５３ｅとデータ設定と子機の番号表示欄５３ｆとデータ設定及び指示待ち又は実行結果表示欄５３ｇとが設けられた表示板５３を有し、該表示板に表示されるパルス幅とパルスの繰返し回数を指接触と指６１の接触状態での移動により変化させて、パルス幅とパルスの繰返し回数を設定するように構成され設定された所定のパルス設定情報を無線で送信すると共にパルス設定制御装置の子機の情報を無線で受信して子機の情報欄５３ｂに表示するようにした制御プログラムを組み込んでなる無線携帯端末のパルス設定制御装置（親機）６２の子機として構成されるが、無線携帯端末のパルス設定制御装置（親機）６２とは完全に分離独立したものとして構成され、情報のやりとりはすべて無線で送受信されるため、互いを接続する配線ケーブル等が一切不要となっている。
【００６２】本発明に係る子機５２は、無線携帯端末のパルス設定制御装置（親機）６２からの情報を無線で受信すると共に自身の情報を無線で無線携帯端末のパルス設定制御装置（親機）６２に送信する無線送受信部６４と、装置全体の制御を司るＣＰＵ制御部６５と、無線携帯端末のパルス設定制御装置（親機）６２から受信した情報をコマンド解析するコマンド解析部６６と、ゲート駆動回路４にスイッチング波形を出力するスイッチング波形出力部６８と、自身の各部位の情報を取得するセンサ部６９と、自身の識別ＩＤ７０と、回路駆動用の電源として用いる蓄電池７１とを備え、無線携帯端末のパルス設定制御装置（親機）６２から送信されるパルス設定情報を無線で受信してゲート駆動回路４にスイッチング波形を出力すると共に自身の回路の状態を無線携帯端末のパルス設定制御装置（親機）６２に無線で送信するようにしたものである。
なお、ゲート駆動回路４にも蓄電池７２が備えてあり、ゲート回路４についても従来のような絶縁トランスは不要となっている。
【００６３】図７において、子機５２の前面パネル５２ａには、子機状態表示部５２ｂが設けられており、無線携帯端末のパルス設定制御置（親機）６２との間で無線の送受信の結果を表示するようになっている。
【００６４】本発明は、上記のように構成されており、以下その作用について説明する。
まず無線携帯端末のパルス設定制御装置（親機）６２の作用について、表示板５３上の操作手順とデータの設定方法を詳細に説明する。
図１１及び図１２ａから図１２ｉにおいて、一例として、スイッチング素子６ＢはＯＦＦとしたまま、スイッチング素子６Ａのスイッチングパターンを設定し、スイッチングを実行する場合について説明する。
スイッチング素子６Ａのスイッチングパターンは、図１１に示すように、パルスパターンの「開」位置ではスイッチング素子ＡはＯＦＦであり、「閉」位置ではＯＮとなり、ＯＦＦとＯＮの縦軸の長さの差はゲート電圧を意味するが、この説明ではゲート電圧の大きさには触れないものとする。
パルス幅はＯＮの状態の横軸の長さ、ＯＦＦの状態の横軸の長さで夫々表され、その単位はμｓである。パルスは、パルスＰ１，Ｐ２，Ｐ３の３種類として説明する。また「繰返し」とは、パルスＰ２とパルスＰ３の組合せを１組として、この１組の繰返しのことである。
この説明では、パルスＰ１のパルス幅は１００μｓ、パルスＰ２のパルス幅は２００μｓ、パルスＰ３のパルス幅は３００μｓとし、パルスＰ１は繰返し回数には算入しないので、繰返し回数は、図１１に示すように、４回となる。
【００６５】以上のようなパルスパターンでのスイッチング素子６Ａの開閉制御についての無線携帯端末のパルス設定制御装置（親機）６２の表示板５３上での設定作業について以下に説明する。
図１２ａにおいて、表示板５３は初期画面となっており、メッセージ欄５３ａ及び子機の情報欄５３ｂは空欄に、諸機能の設定表示欄５３ｃには「以下を設定後データ設定して下さい」と表示されている。
そこで、スイッチング素子６ＢはＯＦＦにするのであるから、図１２ｂにおいて、子機５２のＩＤが０２番のものをＯＦＦにする必要があるので、子機の番号表示欄５３ｆの数字表示部の右側の「０」に指６１を接触させ、そのまま接触移動させ、図２及び図４に示す要領で指６１を時計方向に回転移動させて数字を加算し、数字が「２」になったら指６１を停止させて表示板５３から離す。これによって子機の番号表示欄５ｆに「子機の番号０２番」と表示され、子機５２の設定が完了する。このとき、メッセージ欄５３ａ及び子機の情報欄５３ｂは空欄となっており、データ設定及び指示待ち又は実行結果表示欄５３ｇには「データ設定」と表示されている。
【００６６】次に、図１２ｃにおいて、図１２ｂの画面で「データ設定」をタップすると、「子機ＩＤ：０２番はＯＦＦ設定して下さい」というコマンドを送信し、子機５２Ｂ（ＩＤ：０２番）は命令待ちとなる。そこでデータ設定及び指示済行動表示欄５３ｇには「子機のスイッチＯＦＦ」と表示され、これは「子機のスイッチをＯＦＦにする準備ができた」という意味の表示である。
【００６７】次いで、図１２ｄにおいて、「子機のスイッチＯＦＦ」の部分をタップすると、子機５２Ｂ（ＩＤ０２番）はスイッチをＯＦＦにする。そしてメッセージ欄５３ａには「子機０２：子機のスイッチをＯＦＦにしました」と表示され、データ設定及び指示待ち又は実行結果表示欄５３ｇには「ＯＦＦにしました」との表示がなされる。
【００６８】図１２ｅにおいて、図１２ｄの画面でデータ設定及び指示待ち又は実行結果表示欄５３ｇの「ＯＦＦにしました」の部分をタップすると、「ＯＦＦにしました」の表示が「データ設定」の表示に戻る。
【００６９】次に、図１２ｆにおいて、子機５２Ａ（ＩＤ：０１番）に対して図１１のパルスパターンを設定する。まず子機の番号を「０１」に設定し、パルス幅１を「１００．０μｓ」に、パルス幅２を「２００．０μｓ」に、パルス幅３を「３００．０μｓ」に夫々設定し、繰返し回数を「０４」に設定する。
このときメッセージ欄５３ａには「子機０２：子機のスイッチをＯＦＦにしました」と表示され、子機の情報欄５３ｆには「電池電圧：２．２Ｖ」と表示され、これは子機５２Ａ（ＩＤ：０１番）の電池電圧である。
そしてデータ設定及び指示待ち又は実行結果表示欄５３ｇには「データ設定」と表示される。これで子機５２Ａに対する設定がすべて完了となる。
【００７０】次に、図１２ｇにおいて、図１２ｆの画面で「データ設定」の部分をタップすると、子機ＩＤ：０１番に設定されたパルスパターンの情報が無線で送信され、子機５２Ａ（ＩＤ：０１番）は命令待ちになる。
そしてメッセージ欄５３ａには「子機０１：ダブルパルス発射命令待ち」と表示され、データ設定及び指示待ち又は実行結果表示欄５３ｇには「ダブルパルス発射」と表示される。
【００７１】そこで、図１２ｈにおいて、図１２ｇの画面で「ダブルパルス発射」の部分をタップすると、子機５２Ａはゲート駆動回路４Ａを介してスイッチング素子６Ａを設定されたパルスパターンに従って開閉制御する。
【００７２】最後に、図１２ｉにおいて、図１２ｈの画面で「パルス発射しました」の部分をタップすると、「パルス発射しました」という表示が「データ設定」に戻り、すべての設定及びパルス発射の作業が完了する。
【００７３】図１において、無線携帯端末のパルス設定制御装置（親機）６２からの電波は矢印Ｆの如く子機５２Ａに無線で送信され、矢印Ｇの如く子機５２Ａから無線で返信され、矢印Ｈの如く子機５２Ｂに無線で送信され、矢印Ｈの如く子機５２Ｂから無線で返信されるので、無線携帯端末のパルス設定制御装置（親機）６２と子機と５２との間には、一切の信号ケーブル等の電線の設置は不要である。
また図１０に示すように、各筐体４０に２組ずつの子機５２と、ゲート回路４とスイッチング素子６を配置した場合でも、信号ケーブル等の電線の設置は不要であり、夫々矢印Ｆ，Ｈ，Ｊの如く無線携帯端末のパルス設定制御装置（親機）６２から子機５２に電波が無線で送信され、矢印Ｇ，Ｉ，Ｋの如く子機５２から無線携帯端末のパルス設定制御装置（親機）６２に電波が無線で返信される。
【００７４】以上のようにして、本発明では作業者７４は、図９及び図１０に示すように、無線携帯端末のパルス設定制御装置（親機）６２を手に持って操作し、電波を複数の子機５２に送信するのみでパワーエレクトロニクス回路の高電圧、大電流の環境でも遠くから、例えば５ｍから１０ｍも離れた安全な所、又は図１０に示すように筐体４０が高所にあった場合には、低くて安全な地上から子機５２を遠隔操作して、スイッチング素子４の開閉制御を行うことができるため、信号ケーブル等の配線の設置と取回し作業が不要となるばかりでなく、作業者７４の身の安全を飛躍的に高めることができる。
【符号の説明】
【００７５】  １    パワーエレクトロニクス回路用の高電圧回路のスイッチング素子開閉制御装置
２    スイッチング制御装置
３    矩形波信号ケーブル
３Ａ  第１の矩形波信号ケーブル
３Ｂ  第２の矩形波信号ケーブル
４    ゲート駆動回路
４Ａ  第１のゲート駆動回路
４Ｂ  第２のゲート駆動回路
５    ケーブル
５Ａ  第１のケーブル
５Ｂ  第２のケーブル
６    スイッチング素子
６Ａ  第１のスイッチング素子
６Ｂ  第２のスイッチング素子
８    ゲート
９    絶縁トランス
１０    電源ケーブル
１１    商用電源ケーブル
１２    プラグ
１３    ＣＰＵ制御部
１４    スイッチング内容設定部
１４ａ  押しボタンスイッチ
１４ｂ  押しボタンスイッチ
１５    スイッチング開始司令部
１６    スイッチング波形出力部
１８    ケース
１９    商用電源ケーブル
２０    プラグ
２１    電源スイッチ
２２    パルス波形図示部
２３    パルス発射スイッチ
２４    パルス発射ランプ
２５    無限連続パルス発射スイッチ
２６    リセットスイッチ
２８    エラー表示ランプ
２９    エラー解消表示ランプ
３０    コネクタ
３１    光絶縁部
３２    制御回路
３３    ＩＣバッファ回路
３４    抵抗
３５    パワーエレクトロニクス主回路
３６    バイポーラトランジスタ
３８    ダイオード
３９    コンデンサ
４０    筐体
４０ａ  扉
４０ｂ  仕切り棚
４１    主回路電源
４２    負荷
５１    スイッチング素子開閉制御装置
５２    無線携帯端末のパルス設定制御装置の子機
５２ａ  前面パネル
５２ｂ  子機状態表示部
５３    表示板
５３ａ  メッセージ欄
５３ｂ  子機の情報欄
５３ｃ  諸機能の設定指示欄
５３ｄ  パルス幅設定表示欄
５３ｅ  繰返し回数表示欄
５３ｆ  子機の番号表示欄
５３ｇ  データ設定及び指示待ち又は実行結果表示欄
５４    無線送受信部
５５    スイッチング内容表示設定部
５６    設定内容−コマンド変換部
５８    パルス設定情報の送信開始司令部
５９    子機の状態表示部
６０    ＣＰＵ司令部
６１    指
６２    無線携帯端末のパルス設定制御装置（親機）
６３    ケース
６４    無線送受信部
６５    ＣＰＵ制御部
６６    コマンド解析部
６８    スイッチング波形出力部
６９    センサ部
７０    自身のＩＤ
７１    蓄電池
７２    蓄電池
７３    コネクタ
７４    作業者
Ａ      矢印
Ｂ      矢印
Ｃ      コレクタ
Ｅ      エミッタ
Ｆ      矢印
Ｇ      矢印
Ｈ      矢印
Ｉ      矢印
Ｋ      矢印
【図１】
0006517624.tif 000002
【図２】
0006517624.tif 000003
【図３】
0006517624.tif 000004
【図４】
0006517624.tif 000005
【図５】
0006517624.tif 000006
【図６】
0006517624.tif 000007
【図７】
0006517624.tif 000008
【図８】
0006517624.tif 000009
【図９】
0006517624.tif 000010
【図１０】
0006517624.tif 000011
【図１１】
0006517624.tif 000012
【図１２ａ】
0006517624.tif 000013
【図１２ｂ】
0006517624.tif 000014
【図１２ｃ】
0006517624.tif 000015
【図１２ｄ】
0006517624.tif 000016
【図１２ｅ】
0006517624.tif 000017
【図１２ｆ】
0006517624.tif 000018
【図１２ｇ】
0006517624.tif 000019
【図１２ｈ】
0006517624.tif 000020
【図１２ｉ】
0006517624.tif 000021
【図１３】
0006517624.tif 000022
【図１４】
0006517624.tif 000023
【図１５】
0006517624.tif 000024